(57)【要約】      （修正有）【課題】表面に被覆された封止材を通してアライメント工程を実施可能なウェーハの加工方法を提供する。【解決手段】複数のバンプを有するデバイスが形成されたウェーハ１１の加工方法であって、表面側から第１の切削ブレードによってチップの仕上がり厚さに相当する深さの第１の切削溝を形成し、切削溝を含む表面を封止材２０で封止し、表面側から可視光撮像手段１８によって封止材を透過して検出したアライメントマークに基づいて分割予定ラインを検出し、表面側から分割予定ラインに沿って第１の切削ブレードの厚さより小さい厚さの第２の切削ブレードによって第１の切削溝中の封止材に第２の切削溝を形成し、表面に保護部材を貼着し裏面側から仕上がり厚さまでウェーハを研削して第２の切削溝を露出させ個々のチップに分割する。アライメント工程は、可視光撮像手段によって撮像する領域に斜光手段３１によって、斜めから光を照射しながら実施する。【選択図】図４
2019050263.tif 000002
【特許請求の範囲】
【請求項１】
交差して形成された複数の分割予定ラインによって区画された表面の各領域にそれぞれ複数のバンプを有するデバイスが形成されたウェーハの加工方法であって、
該ウェーハの表面側から該分割予定ラインに沿って第１の厚さを有する第１の切削ブレードによってデバイスチップの仕上がり厚さに相当する深さの第１の切削溝を形成する第１切削溝形成工程と、
該第１切削溝形成工程を実施した後、該第１の切削溝を含む該ウェーハの表面を封止材で封止する封止工程と、
該封止工程を実施した後、該ウェーハの表面側から可視光撮像手段によって該封止材を透過してアライメントマークを検出し、該アライメントマークに基づいて切削すべき該分割予定ラインを検出するアライメント工程と、
該アライメント工程を実施した後、該ウェーハの表面側から該分割予定ラインに沿って該第１の切削ブレードの該第１の厚さより小さい第２の厚さを有する第２の切削ブレードによって該第１の切削溝中の該封止材にデバイスチップの仕上がり厚さに相当する深さの第２の切削溝を形成する第２切削溝形成工程と、
該第２切削溝形成工程を実施した後、該ウェーハの表面に保護部材を貼着する保護部材貼着工程と、
該保護部材貼着工程を実施した後、該ウェーハの裏面側から該デバイスチップの仕上がり厚さまで該ウェーハを研削して該第２の切削溝を露出させ、該封止材によって表面及び４側面が囲繞された個々の該デバイスチップに分割する分割工程と、を備え、
該アライメント工程は、該可視光撮像手段によって撮像する領域に斜光手段によって斜めから光を照射しながら実施することを特徴とするウェーハの加工方法。
【発明の詳細な説明】
【技術分野】
【０００１】
本発明は、ウェーハを加工して５Ｓモールドパッケージを形成するウェーハの加工方法に関する。
【背景技術】
【０００２】
ＬＳＩやＮＡＮＤ型フラッシュメモリ等の各種デバイスの小型化及び高密度実装化を実現する構造として、例えばデバイスチップをチップサイズでパッケージ化したチップサイズパッケージ（ＣＳＰ）が実用に供され、携帯電話やスマートフォン等に広く使用されている。更に、近年はこのＣＳＰの中で、チップの表面のみならず全側面を封止材で封止したＣＳＰ、所謂５Ｓモールドパッケージが開発され実用化されている。
【０００３】
従来の５Ｓモールドパッケージは、以下の工程によって製作されている。
（１）半導体ウェーハ（以下、ウェーハと略称することがある）の表面にデバイス（回路）及びバンプと呼ばれる外部接続端子を形成する。
（２）ウェーハの表面側から分割予定ラインに沿ってウェーハを切削し、デバイスチップの仕上がり厚さに相当する深さの切削溝を形成する。
（３）ウェーハの表面をカーボンブラック入りの封止材で封止する。
（４）ウェーハの裏面側をデバイスチップの仕上がり厚さまで研削して切削溝中の封止材を露出させる。
（５）ウェーハの表面はカーボンブラック入りの封止材で封止されているため、ウェーハ表面の外周部分の封止材を除去してターゲットパターン等のアライメントマークを露出させ、このアライメントマークに基づいて切削すべき分割予定ラインを検出するアライメントを実施する。
（６）アライメントに基づいて、ウェーハの表面側から分割予定ラインに沿ってウェーハを切削して、表面及び全側面が封止材で封止された５Ｓモールドパッケージに分割する。
【０００４】
上述したように、ウェーハの表面はカーボンブラックを含む封止材で封止されているため、ウェーハ表面に形成されているデバイス等は肉眼では全く見ることはできない。この問題を解決してアライメントを可能とするため、上記（５）で記載したように、ウェーハ表面の封止材の外周部分を除去してターゲットパターン等のアライメントマークを露出させ、このアライメントマークに基づいて切削すべき分割予定ラインを検出してアライメントを実行する技術を本出願人は開発した（特開２０１３−０７４０２１号公報及び特開２０１６−０１５４３８号公報参照）。
【先行技術文献】
【特許文献】
【０００５】
【特許文献１】特開２０１３−０７４０２１号公報
【特許文献２】特開２０１６−０１５４３８号公報
【発明の概要】
【発明が解決しようとする課題】
【０００６】
しかし、上記公開公報に記載されたアライメント方法では、ダイシング用の切削ブレードに替えてエッジトリミング用の幅の広い切削ブレードをスピンドルに装着してウェーハの外周部分の封止材を除去する工程が必要であり、切削ブレードの交換及びエッジトリミングにより外周部分の封止材を除去する手間が掛かり、生産性が悪いという問題がある。
【０００７】
本発明はこのような点に鑑みてなされたものであり、その目的とするところは、ウェーハ表面に被覆されたカーボンブラックを含む封止材を通してアライメント工程を実施可能なウェーハの加工方法を提供することである。
【課題を解決するための手段】
【０００８】
本発明によると、交差して形成された複数の分割予定ラインによって区画された表面の各領域にそれぞれ複数のバンプを有するデバイスが形成されたウェーハの加工方法であって、該ウェーハの表面側から該分割予定ラインに沿って第１の厚さを有する第１の切削ブレードによってデバイスチップの仕上がり厚さに相当する深さの第１の切削溝を形成する第１切削溝形成工程と、該第１切削溝形成工程を実施した後、該第１の切削溝を含む該ウェーハの表面を封止材で封止する封止工程と、該封止工程を実施した後、該ウェーハの表面側から可視光撮像手段によって該封止材を透過してアライメントマークを検出し、該アライメントマークに基づいて切削加工すべき該分割予定ラインを検出するアライメント工程と、該アライメント工程を実施した後、該ウェーハの表面側から該分割予定ラインに沿って該第１の切削ブレードの該第１の厚さより小さい第２の厚さを有する第２の切削ブレードによって該第１の切削溝中の該封止材にデバイスチップの仕上がり厚さに相当する深さの第２の切削溝を形成する第２切削溝形成工程と、該第２切削溝形成工程を実施した後、該ウェーハの表面に保護部材を貼着する保護部材貼着工程と、該保護部材貼着工程を実施した後、該ウェーハの裏面側から該デバイスチップの仕上がり厚さまで該ウェーハを研削して該第２の切削溝を露出させ、該封止材によって表面及び４側面が囲繞された個々の該デバイスチップに分割する分割工程と、を備え、該アライメント工程は、該可視光撮像手段によって撮像する領域に斜光手段によって斜めから光を照射しながら実施することを特徴とするウェーハの加工方法が提供される。
【発明の効果】
【０００９】
本発明のウェーハの加工方法によると、斜光手段で斜めから光を照射しながら可視光撮像手段によって封止材を透過してウェーハに形成されたアライメントマークを検出し、アライメントマークに基づいてアライメントを実施できるようにしたので、従来のようにウェーハの表面の外周部分の封止材を除去することなく簡単にアライメント工程を実施できる。
【００１０】
よって、ウェーハの表面側からデバイスチップの仕上がり厚さに相当する深さに形成された第１の切削溝内に充填された封止材に沿って第２の切削溝を形成することができ、その後ウェーハの裏面側からデバイスチップの仕上がり厚さまでウェーハを研削して第２の切削溝を露出させることによって、封止材によって表面及び４側面が封止された個々のデバイスチップに分割することができる。
【図面の簡単な説明】
【００１１】
【図１】半導体ウェーハの斜視図である。
【図２】第１切削溝形成工程を示す斜視図である。
【図３】封止工程を示す斜視図である。
【図４】アライメント工程を示す断面図である。
【図５】図５（Ａ）は第２切削溝形成工程を示す断面図、図５（Ｂ）は第２切削溝形成工程実施後のウェーハの一部拡大断面図である。
【図６】図６（Ａ）は分割工程を示す一部断面側面図、図６（Ｂ）はデバイスチップの拡大断面図である。
【発明を実施するための形態】
【００１２】
以下、本発明の実施形態を図面を参照して詳細に説明する。図１を参照すると、本発明の加工方法で加工するのに適した半導体ウェーハ（以下、単にウェーハと略称することがある）１１の表面側斜視図が示されている。
【００１３】
半導体ウェーハ１１の表面１１ａにおいては、複数の分割予定ライン（ストリート）１３が格子状に形成されており、直交する分割予定ライン１３によって区画された各領域にはＩＣ、ＬＳＩ等のデバイス１５が形成されている。
【００１４】
各デバイス１５の表面には複数の電極バンプ（以下、単にバンプと略称することがある）１７を有しており、ウェーハ１１はそれぞれ複数のバンプ１７を備えた複数のデバイス１５が形成されたデバイス領域１９と、デバイス領域１９を囲繞する外周余剰領域２１とをその表面に備えている。
【００１５】
本発明実施形態のウェーハの加工方法では、まず、第１の工程として、ウェーハ１１の表面側から分割予定ライン１３に沿って第１の厚さを有する第１の切削ブレードによってデバイスチップの仕上がり厚さに相当する深さの第１の切削溝を形成する第１切削溝形成工程を実施する。この第１切削溝形成工程を図２を参照して説明する。
【００１６】
切削ユニット１０は、スピンドル１２の先端部に着脱可能に装着された切削ブレード１４と、可視光撮像手段（可視光撮像ユニット）１８を有するアライメントユニット１６とを備えている。可視光撮像ユニット１８は、可視光で撮像する顕微鏡及びカメラを有している。
【００１７】
第１切削溝形成工程を実施する前に、まず可視光撮像ユニット１８でウェーハ１１の表面を可視光で撮像し、各デバイス１５に形成されているターゲットパターン等のアライメントマークを検出し、このアライメントマークに基づいて切削すべき分割予定ライン１３を検出するアライメントを実施する。
【００１８】
アライメント実施後、矢印Ｒ１方向に高速回転する切削ブレード（第１の切削ブレード）１４をウェーハ１１の表面１１ａ側から分割予定ライン１３に沿ってデバイスチップの仕上がり厚さに相当する深さに切り込ませ、ウェーハ１１を吸引保持した図示しないチャックテーブルを矢印Ｘ１方向に加工送りすることにより、分割予定ライン１３に沿って第１の切削溝２３を形成する第１切削溝形成工程を実施する。
【００１９】
この第１切削溝形成工程を、切削ユニット１０を分割予定ライン１３のピッチずつ加工送り方向Ｘ１と直交する方向に割り出し送りしながら、第１の方向に伸長する分割予定ライン１３に沿って次々と実施する。
【００２０】
次いで、図示しないチャックテーブルを９０°回転した後、第１の方向に直交する第２の方向に伸長する分割予定ライン１３に沿って同様な第１切削溝形成工程を次々と実施する。
【００２１】
第１切削溝形成工程を実施した後、図３に示すように、ウェーハ１１の表面１１ａに封止材２０を塗布して、第１の切削溝２３を含むウェーハ１１の表面１１ａを封止材で封止する封止工程を実施する。封止材２０は流動性があるため、封止工程を実施すると、第１の切削溝２３中に封止材２０が充填される。
【００２２】
封止材２０としては、質量％でエポキシ樹脂又はエポキシ樹脂＋フェノール樹脂１０．３％、シリカフィラー８５．３％、カーボンブラック０．１〜０．２％、その他の成分４．２〜４．３％を含む組成とした。その他の成分としては、例えば、金属水酸化物、三酸化アンチモン、二酸化ケイ素等を含む。
【００２３】
このような組成の封止材２０でウェーハ１１の表面１１ａを被覆してウェーハ１１の表面１１ａを封止すると、封止材２０中にごく少量含まれているカーボンブラックにより封止材２０が黒色となるため、封止材２０を通してウェーハ１１の表面１１ａを見ることは通常困難である。
【００２４】
ここで、封止材２０中にカーボンブラックを混入させるのは、主にデバイス１５の静電破壊を防止するためであり、現在のところカーボンブラックを含有しない封止材は市販されていない。
【００２５】
封止材２０の塗布方法は特に限定されないが、バンプ１７の高さまで封止材２０を塗布するのが望ましく、次いでエッチングにより封止材２０をエッチングして、バンプ１７の頭出しをする。
【００２６】
封止工程を実施した後、ウェーハ１１の表面１１ａ側から可視光撮像手段によって封止材２０を通してウェーハ１１の表面１１ａを撮像し、ウェーハ１１の表面に形成されている少なくとも２つのターゲットパターン等のアライメントマークを検出し、これらのアライメントマークに基づいて切削すべき分割予定ライン１３を検出するアライメント工程を実施する。
【００２７】
このアライメント工程について、図４を参照して詳細に説明する。アライメント工程を実施する前に、ウェーハ１１の裏面１１ｂ側を外周部が環状フレームＦに装着されたダイシングテープＴに貼着する。
【００２８】
アライメント工程では、図４に示すように、ダイシングテープＴを介して切削装置のチャックテーブル４０でウェーハ１１を吸引保持し、ウェーハ１１の表面１１ａを封止している封止材２０を上方に露出させる。そして、クランプ４２で環状フレームＦをクランプして固定する。
【００２９】
アライメント工程では、可視光撮像ユニット１８のＣＣＤ等の撮像素子でウェーハ１１の表面１１ａを撮像する。しかし、封止材２０中にはシリカフィラー、カーボンブラック等の成分が含まれており、更に封止材２０の表面には凹凸があるため、可視光撮像ユニット１８の垂直照明では封止材２０を透過してウェーハ１１の表面１１ａを撮像しても、撮像画像がピンボケとなってしまい、ターゲットパターン等のアライメントマークを検出するのが困難である。
【００３０】
そこで、本実施形態のアライメント工程では、可視光撮像ユニット１８の垂直照明に加えて斜光手段３１から撮像領域に斜めから光を照射し、撮像画像のピンボケを改善し、アライメントマークの検出を可能としている。
【００３１】
斜光手段３１から照射する光は白色光が好ましく、ウェーハ１１の表面１１ａに対する入射角は３０°〜６０°の範囲内が好ましい。好ましくは、可視光撮像ユニット１８は、露光時間等を調整できるエキスポージャーを備えている。
【００３２】
次いで、これらのアライメントマークを結んだ直線が加工送り方向と平行となるようにチャックテーブル４０をθ回転し、更にアライメントマークと分割予定ライン１３の中心との距離だけ図２に示す切削ユニット１０を加工送り方向Ｘ１と直交する方向に移動することにより、切削すべき分割予定ライン１３を検出する。
【００３３】
アライメント工程を実施した後、図５（Ａ）に示すように、ウェーハ１１の表面１１ａ側から分割予定ライン１３に沿って第１の切削ブレード１４の幅より小さい幅を有する第２の切削ブレード１４Ａによって、表面１１ａが封止材２０で封止されたウェーハ１１をデバイスチップの仕上がり厚さに相当する深さの第２の切削溝２５を形成する第２切削溝形成工程を実施する。
【００３４】
この第２切削溝形成工程を、第１の方向に伸長する分割予定ライン１３に沿って次々と実施した後、チャックテーブル４０を９０°回転し、第１の方向に直交する第２の方向に伸長する分割予定ライン１３に沿って次々と実施する。
【００３５】
第２切削溝形成工程を実施した後、ウェーハ１１の表面１１ａに保護テープ等の保護部材２２を貼着する保護部材貼着工程を実施する。保護部材貼着工程を実施した後、ウェーハ１１の裏面１１ｂ側からデバイスチップの仕上がり厚さまでウェーハ１１を研削して第２の切削溝２５を露出させ、ウェーハ１１を表面及び４側面が封止材２０によって封止された個々のデバイスチップ２７に分割する分割工程を実施する。
【００３６】
この分割工程を図６を参照して説明する。ウェーハ１１の表面１１ａに貼着された表面保護テープ等の保護部材２２を介してウェーハ１１を研削装置のチャックテーブル２４で吸引保持する。
【００３７】
研削ユニット２６は、スピンドルハウジング２８中に回転可能に収容され図示しないモーターにより回転駆動されるスピンドル３０と、スピンドル３０の先端に固定されたホイールマウント３２と、ホイールマウント３２に着脱可能に装着された研削ホイール３４とを含んでいる。研削ホイール３４は、環状のホイール基台３６と、ホイール基台３６の下端外周に固着された複数の研削砥石３８とから構成される。
【００３８】
分割工程では、チャックテーブル２４を矢印ａで示す方向に例えば３００ｒｐｍで回転しつつ、研削ホイール３４を矢印ｂで示す方向に例えば６０００ｒｐｍで回転させると共に、図示しない研削ユニット送り機構を駆動して研削ホイール３４の研削砥石３８をウェーハ１１の裏面１１ｂに接触させる。
【００３９】
そして、研削ホイール３４を所定の研削送り速度で下方に所定量研削送りしながらウェー１１の裏面１１ｂを研削する。接触式又は非接触式の厚み測定ゲージでウェーハ１１の厚さを測定しながら、ウェーハ１１を所定の厚さ、例えば１００μｍに研削して、第２の切削溝２５を露出させ、図６（Ｂ）に示すように、ウェーハ１１を表面及び４側面が封止材２０によって囲繞された個々のデバイスチップ２７に分割する。
【００４０】
このようにして製造されたデバイスチップ２７は、デバイスチップ２７の表裏を反転してバンプ２７をマザーボードの導電パッドに接続するフリップチップボンディングによりマザーボードに実装することができる。
【符号の説明】
【００４１】
１０    切削ユニット
１１    半導体ウェーハ
１３    分割予定ライン
１４，１４Ａ    切削ブレード
１５    デバイス
１６    アライメントユニット
１７    電極バンプ
１８    撮像ユニット
２０    封止材
２３    第１の切削溝
２５    第２の切削溝
２６    研削ユニット
２７    デバイスチップ
３１    斜光手段
３４    研削ホイール
３８    研削砥石
【図１】
2019050263.tif 000003
【図２】
2019050263.tif 000004
【図３】
2019050263.tif 000005
【図４】
2019050263.tif 000006
【図５】
2019050263.tif 000007
【図６】
2019050263.tif 000008